(57)【要約】  より純粋な最終製品を所望する消費者にそれを提供するため、より多量の植物由来材料を活用するように、かつ／又は望ましくない材料を含むことを最小限に抑えるように設計及び構成された吸収性物品について記載する。吸収性物品は、着用者対向層及び対向する衣服対向層の両方に植物性材料を含んでもよい。
2020533155.tif 000002
【特許請求の範囲】
【請求項１】
ａ．着用者の皮膚又は介護者の皮膚と接触するための第１の最外層であって、前記第１の最外層は、木材パルプ以外の採取繊維を含む植物性繊維を含む第１の不織布を含み、前記採取繊維は任意で採取後処理を含む、第１の最外層と、
ｂ．前記着用者の皮膚又は前記介護者の皮膚と接触するための対向する第２の最外層であって、合成繊維を含む植物性繊維を含む第２の不織布を含む、第２の最外層と、を含み、
ｃ．前記第１の不織布のバイオベース含有量は、ＡＳＴＭ  Ｄ６８６６−１０の方法Ｂを使用して約５％〜約１００％であり、
ｄ．前記第２の不織布のバイオベース含有量は、ＡＳＴＭ  Ｄ６８６６−１０の方法Ｂを使用して約５％〜約１００％である、
吸収性物品。
【請求項２】
前記第１の不織布のバイオベース含有量が、ＡＳＴＭ  Ｄ６８６６−１０の方法Ｂを使用して約１０％〜約５０％である、請求項１に記載の吸収性物品。
【請求項３】
前記第２の不織布のバイオベース含有量が、ＡＳＴＭ  Ｄ６８６６−１０の方法Ｂを使用して約１０％〜約５０％である、請求項１又は２に記載の吸収性物品。
【請求項４】
前記採取繊維が綿繊維を含む、請求項１〜３のいずれか１項に記載の吸収性物品。
【請求項５】
前記綿繊維が、漂白されるが、塩素を含まない、請求項４に記載の吸収性物品。
【請求項６】
鉱物系臭気管理材料を含む、請求項１〜５のいずれか１項に記載の吸収性物品。
【請求項７】
合成繊維である前記植物性繊維が、バイオベースのポリエチレンを含む、請求項１〜６のいずれか１項に記載の吸収性物品。
【請求項８】
前記第１の不織布及び前記第２の不織布の両方が、石油系合成繊維を含む、請求項１〜７のいずれか１項に記載の吸収性物品。
【請求項９】
ａ．着用者の皮膚又は介護者の皮膚と接触するための第１の最外層であって、木材パルプ以外の採取繊維を含む植物性繊維を含む第１の不織布を含む、第１の最外層と、
ｂ．前記着用者の皮膚又は前記介護者の皮膚と接触するための対向する第２の最外層であって、合成繊維を含む植物性繊維を含む第２の不織布を含む、第２の最外層と、
ｃ．天然由来の臭気管理材料と、
を含み、
ｄ．前記第１の不織布は、坪量、密度、組成、及び構造のうちの少なくとも１つにおいて前記第２の不織布とは異なる、
吸収性物品。
【請求項１０】
前記第１の不織布が、前記第２の不織布よりも大きな坪量を有する、請求項９に記載の吸収性物品。
【請求項１１】
前記第１の不織布が、坪量及び組成の両方において前記第２の不織布とは異なる、請求項９に記載の吸収性物品。
【請求項１２】
前記第１の不織布のバイオベース含有量が、ＡＳＴＭ  Ｄ６８６６−１０の方法Ｂを使用して約５％〜約５０％であり、前記第２の不織布のバイオベース含有量が、ＡＳＴＭ  Ｄ６８６６−１０の方法Ｂを使用して約５％〜約５０％である、請求項９〜１１のいずれか１項に記載の吸収性物品。
【請求項１３】
前記植物性合成繊維が、バイオベースのポリオレフィン繊維を含む、請求項９〜１２のいずれか１項に記載の吸収性物品。
【請求項１４】
前記植物性の採取繊維が、綿繊維を含む、請求項９〜１３のいずれか１項に記載の吸収性物品。
【請求項１５】
前記第１の不織布及び前記第２の不織布のそれぞれが、石油系繊維を含む、請求項９〜１４のいずれか１項に記載の吸収性物品。
【発明の詳細な説明】
【技術分野】
【０００１】
本開示は、一般的には、より純粋な最終製品をそれを所望する消費者に提供するため、より多量のバイオベース材料を活用し、かつ／又は望ましくない材料の含有を最小限に抑えるように設計及び構成された吸収性物品を対象とする。
【背景技術】
【０００２】
おむつなどの市販の吸収性物品の大部分は、相当量の石油化学工業原料を含有している。例えば、大半の大量生産されたおむつは、少なくとも一部の石油系繊維を含む繊維性外層と、石油系フィルムで形成された液体バリア層と、を含んでいる。吸収性物品のこの部分は更に、典型的には、着用者対向面上にローションを含有し、かつ肯定的な香気体験のための芳香剤又は香料を含んでいる。しかしながら、環境及び／又は吸収性物品の着用者にとって有益な、「環境に優しい」ことをうたった吸収性物品を提供を始めた小規模製造業者もいくつか存在する。環境に優しいおむつの中には、より「天然な」製品となるように、無塩素、無ローション、かつ無芳香剤のものがある。当然であるが、環境に優しいおむつは、着用者の利益に重点を置いており、例えばこれらのおむつは、ローションを含まないが天然繊維又は他の材料を含む着用者対向面を有する場合がある。しかしながら、未成年者又は歩行不能な成人の介護者もまた、未成年者を抱える、及び／又は吸収性物品を交換する際に、非着用者対向面から吸収性物品と顕著に接触する。
【発明の概要】
【発明が解決しようとする課題】
【０００３】
したがって、天然材料若しくはバイオベース材料を含有し、かつ／又は着用者対向面のみならずその両方の外側対向面に近接して望ましくない材料を含まない吸収性物品が必要とされている。
【０００４】
上述のように、香料原料及び芳香剤組成物は一部の個人に対しては皮膚感作物質となり得るため、市販の環境に優しいおむつには芳香剤を含まないものもある。しかしながら、おむつには芳香剤が一切添加されていないものの、残りの繊維性及びフィルムベースの構成要素が、おむつの着用者にとって危険ではないが介護者に不快感を与え得る固有の臭気を有する場合がある。したがって、バイオベース材料を含有し、かつ／又は望ましくない臭気も有さないマスキング芳香剤を含まない吸収性物品が必要とされている。
【図面の簡単な説明】
【０００５】
本開示の上記及び他の特徴及び利点、並びにそれらを実現する様式は、本開示の以下の実施例形態の説明を添付の図面と併せて参照することによって、より明らかになり、本開示自体の理解が深まるであろう。
【図１】衣類対向面が観察者に向いており、平坦に広げられた状態の、テープ式おむつの形態の例示的な吸収性物品の平面図である。
【図２】着用者対向面が観察者に向いており、平坦に広げられた状態の、図１の例示的な吸収性物品の平面図である。
【図３】締着位置にある図１及び図２の吸収性物品の正面斜視図である。
【図４】パンツの形態の吸収性物品の正面斜視図である。
【図５】図４の吸収性物品の背面斜視図である。
【図６】平坦に広げられ、衣類対向面が観察者に向いている状態の、図４の吸収性物品の平面図である。
【図７】図６の線７−７の周囲で取られた吸収性物品の断面図である。
【図８】図６の線８−８の周囲で取られた吸収性物品の断面図である。
【図９】例示的な吸収性コア又は吸収性物品の平面図である。
【図１０】図９の吸収性コアの線１０−１０の周囲で取られた断面図である。
【図１１】図１０の吸収性コアの線１１−１１の周囲で取られた断面図である。
【図１２】生理用ナプキンである本開示の例示的な吸収性物品の平面図である。
【図１３】吸収性物品の前側腰部領域内で取られた例示的な断面図である。
【図１４】吸収性物品の股部領域内で取られた例示的な断面図である。
【図１５】吸収性物品の後側腰部領域内で取られた例示的な断面図である。
【図１６】複数の吸収性物品を収容したパッケージの側面図である。
【発明を実施するための形態】
【０００６】
本明細書で開示される吸収性物品の構造、機能、製造、及び使用の原理の総合的な理解を提供するために、ここで、本開示の様々な非限定的形態を説明する。これらの非限定的な形態の１つ以上の実施例を添付の図面に示す。当業者であれば、本明細書に記載され、かつ添付の図面で例示される吸収性物品は非限定的な実施形態であり、本開示の様々な非限定的形態の範囲は特許請求の範囲によってのみ定義されることを理解するであろう。１つの非限定的な形態に関して図示又は説明される特徴は、他の非限定的な形態の特徴と組み合わせることができる。そのような改変及び変形は、本開示の範囲内に含まれるものとする。
【０００７】
定義
「吸収性物品」は、液体を吸収し、かつ／又は閉じ込める装置を意味する。着用可能な吸収性物品は、着用者の身体に接触して又は密接して配置され、身体から排泄される様々な排泄物を吸収して閉じ込める吸収性物品である。着用可能な吸収性物品の非限定的な例としては、おむつ、パンツ式又はプルオンおむつ、トレーニングパンツ、生理用ナプキン、パンティライナー、失禁用具（ライナ、パッド、及びブリーフ）などが挙げられる。
【０００８】
「動物性繊維」としては、羊毛、毛髪、及び絹などの分泌物が挙げられる。
【０００９】
「バイオベース含有量」とは、ＡＳＴＭ  Ｄ６８６６−１０の方法Ｂによって決定される、材料中の合計有機炭素の質量の百分率としての、材料中の再生可能資源由来炭素の量を指す。ＡＳＴＭ  Ｄ６８６６−１０の方法を適用して任意の吸収性物品又はその構成要素のバイオベース含有量を測定するために、既知の磨砕方法（例えばＷＩＬＥＹミル）を用いてサンプルを約２０メッシュ未満の微粒子に磨砕して、ランダムに混合された粒子から好適な塊の代表的サンプルを採取することができる。あるいは、サンプルが単なる材料の層である場合は、予磨砕工程を必要とせずに層自体を分析してもよい。材料のバイオベース含有量の測定には、炭酸カルシウムなどの無機由来源からのいかなる炭素も含まれないことに留意されたい。ポリマー中のバイオ由来含有量の測定については下記の更なる情報を参照されたい。本明細書に記載される吸収性物品の構成要素は、米国特許出願公開第２００７／０２１９５２１号、同第２０１１／０１３９６５８号、同第２０１１／０１３９６５７号、同第２０１１／０１５２８１２号、同第２０１１／０１３９６６２号、及び同第２０１１／０１３９６５９号に記載されるバイオ由来含有量から少なくとも部分的に構成され得る。
【００１０】
本開示の吸収性物品は、いくつかの形態の、特定の望ましくない材料、成分、又は特性を「含まない（devoid of）」又は「ない（free of）」場合がある。「含まない」、「ない」などは、これらの用語が本明細書で使用される場合、吸収性物品は、これらの修飾語に続く、バックグラウンドレベルの材料、成分、又は特性を、極微量を超えて有さないこと、材料又は成分の量が、消費者が材料又は成分に対して典型的に連想する害又は刺激を引き起こさないこと、あるいは材料又は成分が、意図的には吸収性物品に添加されていないことを意味し得る。場合によっては、「含まない」及び「ない」は、測定可能な量の材料又は成分が存在しないことを意味し得る。例えば、いくつかの形態の吸収性物品は、測定可能な量の塩素を含有せず、つまり、物品は塩素を全く含まないと特徴付けられる。
【００１１】
「天然由来」材料としては、石油成分を用いずに部分的に化学変化され、生分解性が大幅に低くなるか又はより毒性がより強くなる程度まで変化しないように最小限に加工された材料が挙げられる。
【００１２】
「天然繊維」は、植物及び動物によって生成される細長い物質を指し、これらの分類が本明細書に記載されるように、これには動物性繊維及び植物性繊維が含まれる。天然繊維としては、その用語が本明細書で使用されるときは、採取されていかなる採取後処理工程も受けない繊維、及び、例えば、洗浄、すり磨き、漂白などの後処理工程を有する繊維が挙げられる。
【００１３】
本明細書で使用されるとき、用語「植物性繊維」は、採取繊維及びバイオベース含有量を含む合成繊維の両方を含む。採取される植物性繊維としては、木材パルプなどのセルロース系物質、綿などの種子毛、亜麻及び大麻などの茎（又は靱皮）繊維、サイザルなどの葉繊維、並びにココナツなどの殻繊維が挙げられる。
【００１４】
「再生可能資源」とは、１００年の時間枠内で再生することのできる天然資源を指す。この資源は、自然に、又は農業技術により再生することができる。再生可能資源としては、植物、動物、魚、細菌、真菌類、及び林産物が挙げられる。それらは、自然発生した雑種、又は遺伝子操作された生物であり得る。
【００１５】
再生可能資源を原料とするポリマーの検証
好適な検証技術は、１４Ｃの分析によるものである。大気中の少量の二酸化炭素は、放射性である。この１４Ｃ二酸化炭素は、紫外線光で生成された中性子が窒素にぶつかる際に生じ、これにより、窒素はプロトンを失って分子量１４の炭素を形成し、これが直ちに二酸化炭素に酸化される。この放射性同位体は、大気中の炭素の少量であるが測定可能な部分である。大気中の二酸化炭素は、緑色植物によって循環されて、光合成中に有機分子を作る。このサイクルは、緑色植物又は他の生命体が有機分子を代謝し、それによって二酸化炭素を生成することで完了し、この二酸化炭素は再び大気中に放出される。地球上の実質的に全ての生命体の成長及び繁殖は、この緑色植物の有機分子生成に依存している。したがって、大気中に存在する１４Ｃは、全ての生命体及びその生物学的生成物の一部となる。対照的に、化石燃料系炭素は、大気中二酸化炭素のシグネチャー放射性炭素比を有さない。
【００１６】
標準的な試験方法によって、材料中の再生可能エネルギーに基づく炭素の評価を実施することができる。放射性炭素及びアイソトープ比の質量分析を用いて、材料のバイオベース含有量を決定することができる。米国材料試験協会として以前に知られていたＡＳＴＭ  Ｉｎｔｅｒｎａｔｉｏｎａｌは、材料のバイオベース含有量を評価するための標準的な方法を確立した。このＡＳＴＭの方法は、ＡＳＴＭ  Ｄ６８６６−１０と称される。
【００１７】
「バイオベース含有量」を導き出すためのＡＳＴＭ  Ｄ６８６６−１０の適用は、放射性炭素年代測定法と同じ概念上に構築されるが、年齢方程式の使用を伴わない。分析は、現代の参照基準の量に対する未知のサンプル中の有機放射性炭素（１４Ｃ）の量の比を導き出すことによって行われる。この比は、単位「ｐＭＣ」（現代炭素パーセント）により百分率として報告される。
【００１８】
放射性炭素年代測定法において使用される現代の参照基準は、およそＡＤ１９５０年と同等の既知の放射性炭素含有量を用いるＮＩＳＴ（米国標準技術局）基準である。ＡＤ１９５０年は、この年が各爆発ごとに大量の過剰の放射性炭素（「核実験起源放射性炭素」と称される）を大気中に導入した熱核兵器実験前の時代を代表することから選択された。ＡＤ１９５０基準は、１００ｐＭＣに相当する。
【００１９】
実験のピークであり、かつ実験を停止させる条約の前の１９６３年に、大気中の「核実験起源放射性炭素」は、正常濃度のほぼ２倍に到達した。大気中のその分布は、その出現以来近似されており、ＡＤ１９５０年以降生存している植物及び動物に関しては１００ｐＭＣを超える値が示されている。核実験起源放射性炭素の分布は、時間と共に徐々に減少してきており、今日の値は、１０７．５ｐＭＣ付近である。これは、トウモロコシのような新鮮なバイオマス物質は、１０７．５ｐＭＣ付近の放射性炭素シグネチャーを示すことを意味する。
【００２０】
化石炭素が現代の炭素と物質中で組み合わされることで、現代のｐＭＣ含有量が希釈されるであろう。１０７．５ｐＭＣが現代のバイオマス物質を表し、０ｐＭＣが石油誘導体を表すと仮定すると、その物質について測定されるｐＭＣ値は、２つの構成成分タイプの割合を反映することになるであろう。現代のダイズに１００％由来する物質は、１０７．５ｐＭＣ付近の放射性炭素シグネチャーを示すであろう。例えば、その物質が５０％石油誘導体で希釈された場合、それは、５４ｐＭＣ付近の放射性炭素シグネチャーを示すであろう（石油誘導体がダイズと同じ炭素パーセンテージを有すると仮定）。
【００２１】
バイオベース含有量の結果は、１００％を１０７．５ｐＭＣに等しく、０％を０ｐＭＣに等しいものとすることによって導き出される。この点で、９９ｐＭＣと測定されるサンプルは、９２％の同等のバイオベース含有量結果を与えるであろう。
【００２２】
本明細書に記載の物質の評価は、ＡＳＴＭ  Ｄ６８６６に従って実施することができる。この報告で引用される中央値は、最終コンポーネント放射性炭素シグネチャーにおける変動を説明するために、６％の絶対範囲（バイオベース含有量値の両側±３％）を包含する。全ての材料は現代又は化石起源であり、バイオベース含有量の結果は、材料中に「現存する」バイオベース成分の量であると推定される。
【００２３】
吸収性物品の概説
テープ式おむつの形態で示されている、本開示による例示的な吸収性物品１０を図１〜３に示す。図１は、衣類対向面２が観察者に向いており、平坦に広げられた状態（即ち、弾性収縮がない）の、例示的な吸収性物品１０の平面図である。図２は、平らに広げられた状態で着用者対向面４が観察者に面している、図１の例示的な吸収性物品１０の平面図である。図３は、締着形態にある図１及び図２の吸収性物品１０の正面斜視図である。本開示は、例えば、成人用失禁製品、パンツ、又は生理用ナプキン及び吸収パッドなどの他の吸収性物品を含む多種多様なおむつを作製するのに使用され得るため、図１〜３の吸収性物品１０は、例示目的のみで示されている。
【００２４】
吸収性物品１０は、前側腰部領域１２と、股部領域１４と、後側腰部領域１６と、を含むことができる。股部領域１４は、前側腰部領域１２と後側腰部領域１６との中間に延在することができる。前側腰部領域１２、股部領域１４、及び後側腰部領域１６は、それぞれ吸収性物品１０の長さの３分の１とすることができる。吸収性物品１０は、前端縁部１８と、前端縁部１８とは反対側の後端縁部２０と、長手方向に延在し、シャーシ５２によって画定される、横断方向に対向する側縁部２２及び２４と、を含むことができる。
【００２５】
吸収性物品１０は、液体透過性トップシート２６と、液体不透過性バックシート２８と、トップシート２６とバックシート２８との中間に少なくとも部分的に配置された吸収性コア３０と、を含むことができる。吸収性物品１０はまた、弾性体３３を有する若しくは有さない１対又は複数対のバリアレッグカフ３２、１対又は複数対の脚部弾性体３４、１つ以上の弾性ウエストバンド３６、及び／又は１つ以上の捕捉材料３８を含むことができる。捕捉材料（複数可）３８は、トップシート２６と吸収性コア３０との中間に配置することができる。不織布材料などの外側カバー材料４０が、バックシート２８の衣服対向面を被覆してもよい。吸収性物品１０は、後側腰部領域１６に後側耳部４２を含むことができる。後側耳部４２は締結具４６を含んでもよく、吸収性物品１０の後側腰部領域１６から延在し、吸収性物品１０の前側腰部領域１２の衣服対向部分のランディングゾーン区域又はランディングゾーン材料４４に（締結具４６を使用して）取り付けることができる。吸収性物品１０はまた、前側腰部領域１２に前側耳部４７を有することができる。吸収性物品１０は、中央横方向（又は横断方向）軸４８と、中央長手方向軸５０と、を有することができる。中央横方向軸４８は、中央長手方向軸５０に対して垂直に延在する。
【００２６】
他の例では、吸収性物品は、恒久的又は再締結可能なサイドシームを有するパンツの形態であってもよい。好適な再締結可能なシームは、米国特許出願公開第２０１４／０００５０２０号及び米国特許第９，４２１，１３７号に開示されている。図４〜８を参照すると、パンツ形態の例示的な吸収性物品１０が示されている。図４は、吸収性物品１０の正面斜視図である。図５は、吸収性物品１０の背面斜視図である。図６は、衣類対向面が観察者に面するようにして平らに広げられた吸収性物品１０の平面図である。図１〜図３に関連して上述したものと同一の参照番号を有する図４〜図８の要素は、同一の要素（例えば、吸収性コア３０）であってもよい。図７は、図６の線７−７に沿った、吸収性物品の例示的な断面図である。図８は、図６の線８−８に沿った、吸収性物品の例示的な断面図である。図７及び図８は、前側及び後側ベルト５４、５６の例示的な形態を示す。吸収性物品１０は、前側腰部領域１２と、股部領域１４と、後側腰部領域１６と、を有することができる。領域１２、１４、及び１６の各々は、吸収性物品１０の長さの３分の１とすることができる。吸収性物品１０は、図１〜図３に関して上述したものと同様の、トップシート２６と、バックシート２８と、トップシート２６とバックシート２８との中間に少なくとも部分的に配置された吸収性コア３０と、任意選択の捕捉材料３８と、を含むシャーシ５２（中心シャーシ又は中心パネルと呼ばれることもある）を有することができる。吸収性物品１０は、前側腰部領域１２の前側ベルト５４と、後側腰部領域１６の後側ベルト５６と、を含むことができる。シャーシ５２は、前側及び後側ベルト５４、５６の着用者対向面４、又はベルト５４、５６の衣類対向面２に接合することができる。前側ベルト５４の側縁部２３及び２５は、後側ベルト５６の側縁部２７及び２９にそれぞれ接合されて、２つのサイドシーム５８を形成することができる。サイドシーム５８は、例えば、突合せシーム又は重なり合いシームなど、当業者に既知の任意の好適なシームであってよい。サイドシーム５８が恒久的に形成されるか又は再締結可能に閉じられると、パンツ形態の吸収性物品１０は、２つの脚部開口部６０及び腰部開口外周部６２を有する。サイドシーム５８は、例えば、接着剤又は結合部を使用して恒久的に接合されてもよく、あるいは、例えば、フックアンドループ式締結具を使用して再締結可能に閉じられてもよい。
【００２７】
ベルト
図７及び図８を参照すると、前側及び後側ベルト５４及び５６は、前側及び後側内側ベルト層６６及び６７と、それらの間に少なくとも部分的に配置されたエラストマー材料（例えば、ストランド６８又はフィルム（有孔であってもよい））を有する前側及び後側外側ベルト層６４及び６５と、を含むことができる。弾性要素６８又はフィルムは、吸収性コア３０上の弾性歪みを低減するために弛緩（切断されることを含む）されてもよく、あるいは、吸収性コア３０全体を連続的に通ってもよい。弾性要素６８は、ベルトの任意の部分において、それらの間に均一又は可変の間隔を有することができる。弾性要素６８は更に、同一量又は異なる量の予歪みを受けてもよい。前側及び／又は後側ベルト５４及び５６は、シャーシ５２がベルト５４、５６と重なり合う、１つ以上の弾性要素を含まないゾーン７０を有してもよい。他の例では、弾性要素６８のうちの少なくともいくつかは、シャーシ５２を横断して連続的に延在してもよい。
【００２８】
前側及び後側内側ベルト層６６、６７、並びに前側及び後側外側ベルト層６４、６５は、接着剤、熱結合、圧力結合、又は熱可塑性結合を使用して接合することができる。様々な好適なベルト層の構成を、米国特許出願公開第２０１３／０２１１３６３号で見出すことができる。
【００２９】
前側及び後側ベルト端縁部５５及び５７は、前側及び後側シャーシ端縁部１９及び２１（図６に示される）を越えて長手方向に延在してもよく、又はそれらは同一末端であってもよい。前側及び後側ベルト側縁部２３、２５、２７、及び２９は、シャーシ側縁部２２及び２４を越えて横方向に延在することができる。前側及び後側ベルト５４及び５６は、ベルト側縁部からベルト側縁部まで（例えば、２３〜２５、及び２７〜２９の横断方向距離）連続的であってよい（即ち、連続的な少なくとも１つの層を有する）。あるいは前側及び後側ベルト５４及び５６は、これらが別個となるように、ベルト側縁部からベルト側縁部まで（例えば、２３〜２５、及び２７〜２９の横断方向距離）不連続的であってもよい。
【００３０】
米国特許第７，９０１，３９３号に開示されるように、後側ベルト５６の（中央長手方向軸５０に沿った）長手方向長さは、前側ベルト５４の長手方向長さより長くてもよく、これは、後側ベルト５６がサイドシーム５８に隣接又は直接隣接する前側ベルト５４よりも大きな長手方向長さを有する場合は、臀部被覆率が増えるために特に有用であり得る。
【００３１】
前側外側ベルト層６４及び後側外側ベルト層６５は、各層が別個となるように互いから分離されてもよく、あるいはこれらの層は、層が前側ベルト端縁部５５から後側ベルト端縁部５７まで連続的に通ることができるように連続的であってもよい。これはまた、前側及び後側内側ベルト層６６及び６７にも当てはめることができ、すなわち、これらもまた、長手方向に別個であるか、又は連続的であってよい。更に、前側及び後側内側ベルト層６６及び６７を長手方向に別個とする一方で前側及び後側外側ベルト層６４及び６５を長手方向に連続的としてもよく、その結果、間隙がそれらの間に形成される（前側外側ベルト層６４と後側外側ベルト層６５との間の間隙、及び前側内側ベルト層６６と後側内側ベルト層６７との間の間隙は図７に示され、前側内側ベルト層６６と後側内側ベルト層６７との間の間隙は図８に示される）。
【００３２】
前側及び後側ベルト５４及び５６は、改善された通気性、柔軟性、及び衣服のような質感を提供するスリット、穴、及び／又は穿孔を含んでもよい。下着様の外観は、サイドシーム５８（図４及び図５を参照）の位置で腰部及び脚部縁部を実質的に整列させることによって向上させることができる。
【００３３】
前側及び後側ベルト５４及び５６は図柄を含んでもよい（例えば図１の７８を参照）。図柄は、吸収性物品１０の全周の周りに実質的に延在してもよく、かつサイドシーム５８全体に、かつ／又は近位前側及び後側ベルトシーム１５及び１７全体に配置してもよく、あるいは、米国特許第９，４９８，３８９号に記載される方法でシーム５８、１５、及び１７に隣接して配置することで、より下着らしい物品とすることができる。図柄はまた、不連続であってもよい。
【００３４】
あるいは、ベルト５４及び５６をシャーシ５２に取り付けてパンツを形成する代わりに、別個のサイドパネルを、シャーシ２２及び２４の側縁部に取り付けてもよい。別個のサイドパネルを含む好適な形態のパンツは、米国特許第６，６４５，１９０号、同第８，７４７，３７９号、同第８，３７２，０５２号、同第８，３６１，０４８号、同第６，７６１，７１１号、同第６，８１７，９９４号、同第８，００７，４８５号、同第７，８６２，５５０号、同第６，９６９，３７７号、同第７，４９７，８５１号、同第６，８４９，０６７号、同第６，８９３，４２６号、同第６，９５３，４５２号、同第６，８４０，９２８号、同第８，５７９，８７６号、同第７，６８２，３４９号、同第７，１５６，８３３号、及び同第７，２０１，７４４号に開示されている。
【００３５】
トップシート
トップシート２６は、着用者の皮膚に接触する吸収性物品１０の最外層である。トップシート２６は、当業者には周知であるように、バックシート２８、吸収性コア３０、バリアレッグカフ３２、及び／又は任意の他の層の部分に接合することができる。トップシート２６は、着用者の皮膚に対して適合性があり、柔らかい感触であり、かつ非刺激性のものとすることができる。更に、トップシートの少なくとも一部分又はその全体を液体透過性とすることができ、これにより液体身体排泄物がその厚みを通して容易に浸透する。好適なトップシートは、例えば、多孔質発泡体、網目状発泡体、有孔プラスチックフィルム、織布材料、不織布材料、天然繊維（例えば、木材繊維若しくは綿繊維）、合成繊維又はフィラメント（例えば、ポリエステル繊維、若しくはポリプロピレン繊維、若しくは二成分ＰＥ／ＰＰ繊維、又はこれらの混合物）、あるいは天然繊維と合成繊維との組み合わせの、織布材料又は不織布材料などの、幅広い範囲の材料から製造されてもよい。
【００３６】
トップシートは、木材パルプ以外の植物性繊維を含む１つ又は複数の形成された層を有する不織布材料とすることができる。不織布は、周知の技術によって製造することができる。例えば、不織布は、スパンボンド結合、又はカーディング及びエアスルー若しくはカレンダー結合の不織布とすることができる。植物性繊維はまた、バイオベース材料から少なくとも部分的に形成された紡糸繊維であってもよい。例えば、植物性繊維は、紡糸デンプン繊維（spun starch fibers）又はバイオベースのポリオレフィン紡糸繊維であってもよい。また、植物性繊維は、単一成分繊維、又は成分の全てが植物性繊維というわけではない多成分繊維であってもよい。一実施例は、ポリエステルコア成分とバイオベースのポリエチレンシース成分とを含む二成分繊維である。
【００３７】
トップシートは１つ以上の層を有してもよい。トップシートは、有孔であってもよく（図２の要素３１）、任意の好適な三次元形成要素を有してもよく、かつ／又は、複数のエンボス（例えば、結合パターン）を有してもよい。トップシートは、１９９７年５月１３日発行のＢｅｎｓｏｎらの米国特許第５，６２８，０９７号に開示されている、かつＡｒｏｒａらの米国特許出願公開第２０１６／０１３６０１４号に開示されているように、材料をオーバーボンドし、次いでリングローリングによってオーバーボンド部を破断させることによって開孔されてもよい。
【００３８】
トップシートは、二重層のスパンボンド不織布ウェブであってもよい。各層は、約１０ｇｓｍ〜約２５ｇｓｍ又は３５ｇｓｍの坪量を有する。一方の層は、他方の層と比較して、類似の又は異なる親水性／疎水性プロファイルを有し得る。別の形態では、トップシートは、ポリエステル繊維とバイオベースのポリエチレン繊維とのブレンド（例えば、５０−５０重量％）を含む、エアスルーカーディング（air through carded）不織布ウェブである。こうした不織布の坪量は、典型的には約２０ｇｓｍ、２５ｇｓｍ、３５ｇｓｍ、又は４０ｇｓｍである。
【００３９】
多くの市販吸収性物品は、トップシートの少なくとも一部にスキンケア組成物を含み、これらの組成物は、ペトロラタム又は他の石油系材料をこれらの主要構成成分として含有する傾向がある。トップシートは、ローション又はスキンケア組成物を含まなくてもよい。しかしながら、スキンケア組成物又はローションは、任意選択的にトップシートに添加することができる。また、例えば、脂肪、油、又はワックスなどの天然又は天然由来の材料に基づく組成物を採用することが好ましいが、これは必須ではない。任意選択的なローションは、植物油、藻類油、細菌由来油、及び動物性脂肪）、これらの組み合わせなどを含むことができる。植物油の代表的な例としては、アルガン油、キャノーラ油、菜種油、ココナッツ油、コーン油、綿実油、オリーブ油、パーム油、ピーナッツ油、サフラワー油、ゴマ油、大豆油、ひまわり油、高オレオイル大豆油、高オレオイルひまわり油、亜麻仁油、パーム核油、キリ油、ヒマシ油、高オレオイルひまわり油、高オレオイル大豆油、高エルカ菜種油、ジャトロファ油、これらの組み合わせ等が挙げられる。動物性脂肪の代表的な例としては、ラード、牛脂、鶏脂、イエローグリース、魚油、これらの組み合わせ等が挙げられる。合成油の代表例としては、トール油が挙げられ、これは、木材パルプ製造物の副産物である。更なる好適な再生可能資源由来のローション組成物は米国特許出願公開第２０１３／０１４４２３９号に開示されている。
【００４０】
トップシートは、親水性又は疎水性であってよく、あるいは、親水性部分若しくは親水性層及び／又は疎水性部分若しくは疎水性層を有していてもよい。トップシートが疎水性である場合、身体排泄物がトップシートを通過し得るように、典型的には孔が存在することになる。
【００４１】
バックシート
バックシート２８は、一般には、吸収性コア３０の衣類対向面に近接して配置された吸収性物品１０の部分である。バックシート２８は、当業者に既知の任意の取り付け方法によって、トップシート２６、外側カバー材料４０、吸収性コア３０、及び／又は吸収性物品の任意の他の層の部分に接合することができる。バックシート２８は、吸収性コア１０に吸収されて閉じ込められた身体排泄物が、ベッドシーツ、下着、及び／又は衣服などの物品を汚すことを防止するか、又は少なくとも抑制する。バックシートは典型的には、液体不透過性であるか、又は少なくとも実質的に液体不透過性である。バックシートは、例えば、約０．０１２ｍｍ〜約０．０５１ｍｍの厚さを有する熱可塑性フィルムのような薄いプラスチックフィルムとするか、又はこれを含んでもよい。他の適切なバックシート材料は、吸収性物品から蒸気を逃がすことを可能にする一方で尚、身体排泄物がバックシートを通過することを防止するか、又は少なくとも抑制する通気性材料を含んでもよい。バックシートフィルムは、例えばバイオベースポリエチレンなどのバイオベース材料を任意選択的に含むことができる。
【００４２】
外側カバー材料
外側カバー材料（バックシート不織布と呼ばれることもある）４０は、バックシート２８に接合され、バックシート２８を被覆する１つ以上の不織布材料を含んでもよい。外側カバー材料は、典型的には、外側に面した、すなわち、存在する場合、衣類又は下着に面し、着用者の皮膚とは反対側に位置する最外層である。介護者は、着用者を抱える／あやす際、及び／又は吸収性物品を交換する際に、外側カバー材料と顕著に触れ合う。外側カバー材料４０は、吸収性物品１０の衣類対向面２の少なくとも一部を形成し、フィルムが衣類対向面２上に存在しないように、バックシート２８を効果的に「被覆する」。外側カバー材料４０は、結合パターン、孔、及び／又は三次元形成要素を含んでもよい。外側カバー材料は、カーディング不織布、又はカーディング層及び１つ以上のスパンボンド層を含む多層不織布を含んでもよい。
【００４３】
不織布は、植物性繊維と、植物性ではない合成繊維との組み合わせを含み得る。例えば、不織布は、ポリプロピレン繊維及び綿繊維の両方を含み得る。例えば、米国特許出願公開第２０１７／０２０３５４２号を参照されたい。綿含有量は、不織布の約３重量％、５重量％、１０重量％、又は１５重量％〜約５０重量％の範囲であり得る。ポリプロピレンなどの合成繊維が使用される場合、ポリプロピレンは非フタル酸触媒ポリプロピレン繊維であることが好ましい。
【００４４】
外側カバー材料は、水流交絡二重層不織布ウェブを含んでもよく、一方の層は、約５〜１５ｇｓｍの範囲の坪量を有するポリプロピレンスパンボンドウェブを含み、他方の層は、綿繊維と、約１０〜約２５ｇｓｍの範囲の坪量と、を含むカーディング不織布ウェブを含む。外側カバー材料は、ポリプロピレン繊維と綿繊維とのブレンドを含む、エアスルーカーディング不織布ウェブを含んでもよい。綿繊維は、不織布ウェブ全体の約５重量％、１０重量％、又は１５重量％〜約２０重量％、３０重量％、又は５０重量％の量でこれらの不織布ウェブに含まれ得る。
【００４５】
吸収性コア
本明細書で使用される場合、用語「吸収性コア」３０は、最も大きい吸収能力を有し、かつ吸収性材料を含む吸収性物品１０の構成要素を指す。図９〜１１を参照すると、いくつかの例では、吸収性材料７２をコアバッグ又はコアラップ７４内に配置することができる。吸収性材料は、特有の吸収性物品に応じて、輪郭を付けても付けなくてもよい。吸収性コア３０は、コアラップと、吸収性材料７２と、コアラップ内に封入された糊剤と、を含むか、本質的にこれらから構成するか、又はこれらから構成することができる。コアバッグ又はコアラップは、１つ以上の不織布ウェブで構成することができる。これらの不織布ウェブは、非フタル酸触媒ポリマーを含むことができる。ウェブは更に、植物性繊維を含むバイオベース材料を含んでもよい。
【００４６】
吸収性材料は、超吸収性ポリマー（「ａｇｍ」の吸収性ゲル材料としても知られる）、超吸収性ポリマーとエアフェルトとの混合物、エアフェルトのみ、及び／又は高内相エマルジョンフォームを含むことができる。いくつかの例では、吸収性材料は、吸収性材料の少なくとも８０重量％、少なくとも８５重量％、少なくとも９０重量％、少なくとも９５重量％、少なくとも９９重量％、又は最大１００重量％の超吸収性ポリマーを含むことができる。そのような例では、吸収性材料はエアフェルトを含まずともよく、又はエアフェルトを少なくともほとんど含まずともよい。吸収性コア周辺部は、コアラップの周辺部とすることができ、例えば矩形、「Ｔ」、「Ｙ」、「砂時計」、又は「ドッグボーン」形状などの任意の好適な形状を画定することができる。概ね「ドッグボーン」又は「砂時計」の形状を有する吸収性コア周辺部は、その幅に沿って吸収性物品１０の股部領域１４に向かってテーパさせることができる。
【００４７】
図９〜１１を参照すると、吸収性コア３０は、コアバッグ７４の着用者対向面をコアバッグ７４の衣類対向面と接合することができる、吸収性材料７２をほとんど又は全く有さない区域を有することができる。吸収性材料をほとんど又は全く有さないこれらの区域は、「チャネル」７６と称され得る。これらのチャネルは、任意の好適な形状として実施することができ、任意の好適な数のチャネルを設けることができる。他の例では、吸収性コアにエンボス加工を施して、チャネルのくぼみを形成することができる。図９〜１１の吸収性コアは、単なる例示的な吸収性コアである。チャネルを有するか否かに関わらず、多くの他の吸収性コアも本開示の範囲内である。
【００４８】
いくつかの特定の実施例では、コア吸収性材料の超吸収性ポリマーは、バイオベースのアクリル酸を含み得る。バイオベースのアクリル酸及び製造方法は、米国特許出願公開第２００７／０２１９５２１号、並びに米国特許第８，７０３，４５０号及び同第９，６３０，９０１号で更に説明されている。本開示の超吸収性ポリマーは、約５％〜約１００％、約１０％〜約１００％、約２５％〜約１００％、約４０％〜約１００％、約５０％〜約１００％、約７５％〜約１００％、又は約９０％〜約１００％のバイオベース含有量を有することができる。
【００４９】
バリアレッグカフ／脚部弾性体
例えば、図１及び図２を参照すると、吸収性物品１０は、１対又は複数対のバリアレッグカフ３２及び１対又は複数対の脚部弾性体３４を含むことができる。バリアレッグカフ３２は、脚部弾性体３４の横方向内側に配置することができる。各バリアレッグカフ３２は、吸収性物品１０の着用者対向面４から上方向に延在し、着用者の胴部と脚部との接合部付近で改善された身体排泄物の閉じ込めを提供することができるように、吸収性物品１０に結合される一片の材料によって形成することができる。有用な材料としては、スパンボンド−メルトブローン−スパンボンド（ＳＭＳ）不織布ウェブが挙げられるが、これらに限定されない。こうしたウェブは、非フタル酸触媒ポリプロピレン繊維、及び／又は植物性繊維を含み得る。
【００５０】
バリアレッグカフ３２は、トップシート及び／又はバックシートに直接又は間接的に接合された近位縁部と、着用者の皮膚に接触して皮膚との封止部を形成することが意図された自由末端縁部と、によって境界が定められる。バリアレッグカフ３２は、中央長手方向軸５０の両側で吸収性物品１０の前端縁部１８と後端縁部２０との間に少なくとも部分的に延在してよく、少なくとも股部領域１４に存在してよい。
【００５１】
バリアレッグカフ３２は各々、自由末端縁部付近又は自由末端縁部に、１つ以上の弾性体３３（例えば、弾性ストランド又はストリップ）を含むことができる。これらの弾性体３３により、バリアレッグカフ３２は、着用者の脚部及び胴部の周囲に封止部を形成する助けとなる。脚部弾性体３４は、少なくとも部分的に前端縁部１８と後端縁部２０との間に延在している。脚部弾性体３４により、本質的に、シャーシ側縁部２２、２４に近接している吸収性物品１０の部分は、着用者の脚部の周囲に封止部を形成する助けとなる。脚部弾性体３４は、少なくとも股部領域１４に延在していてもよい。脚部弾性体は、好ましくはラテックスを含まない。
【００５２】
弾性ウエストバンド
図１及び図２を参照すると、吸収性物品１０は、１つ以上の弾性ウエストバンド３６を含むことができる。弾性ウエストバンド３６は、衣類対向面２又は着用者対向面４上に配置することができる。一例として、第１の弾性ウエストバンド３６は、前側腰部領域１２内の前側ベルト端縁部１８付近に存在してよく、第２の弾性ウエストバンド３６は、後側腰部領域１６内の後端縁部２０付近に存在してよい。弾性ウエストバンド３６は、着用者の腰部の周囲で吸収性物品１０を封止し、身体排泄物が腰部開口外周部を通って吸収性物品１０から漏れ出るのを少なくとも防ぐのを助けることができる。いくつかの例では、弾性ウエストバンドは、吸収性物品の腰部開口外周部を完全に包囲してもよい。
【００５３】
捕捉／分配材料
図１、２、７、及び８を参照すると、１つ以上の捕捉及び／又は分配材料３８が、トップシート２６と吸収性コア３０との中間に少なくとも部分的に存在してもよい。捕捉／分配材料３８は、典型的には、身体排泄物の相当のウィッキングを提供する親水性材料である。これらの材料は、トップシート２６を脱水し、身体排泄物を吸収性コア３０内へ迅速に移動させることができる。捕捉／分配材料３８は、例えば、１つ以上の不織布材料、発泡体、セルロース材料、架橋セルロース材料、エアレイドセルロース不織布材料、スパンレース材料、又はこれらの組み合わせを含むことができる。セルロース材料及び架橋セルロース材料は漂白されてもよいが、塩素を全く含まなくなるように塩素漂白によっては漂白されないことが好ましい。過酸化水素は、塩素を全く含まない捕捉／分配材料を製造するのに有用な１つの代表的な漂白材料である。
【００５４】
いくつかの例では、捕捉／分配材料３８の一部は、トップシート２６の一部を通って延在してもよく、トップシート２６の一部は、捕捉材料３８の一部を通って延在してもよく、かつ／又はトップシート２６は、捕捉／分配材料３８と入れ子状であってもよい。典型的には、捕捉／分配材料３８の幅及び長さは、トップシート２６の幅及び長さより小さくてよい。捕捉／分配材料は、女性用パッドとの関連では二次トップシートとすることができる。捕捉／分配材料は、吸収性コア３０に関して上述した１つ以上のチャネル（エンボス加工された変形を含む）を有し得る。捕捉／分配材料のチャネルは、吸収性コア３０のチャネルと位置合わせされても位置合わせされなくてもよい。一実施例では、第１の捕捉／分配材料は不織布材料を含むことができ、第２の捕捉／分配材料は、架橋セルロース材料を含むことができる。
【００５５】
ランディングゾーン
図１及び図２を参照すると、吸収性物品１０は、外側カバー材料４０の衣類対向面２の一部分に形成されるランディングゾーン区域４４を有してもよい。ランディングゾーン区域４４は、吸収性物品１０が前側から後側に締結される場合は後側腰部領域１６に配置することができ、又は吸収性物品１０が後側から前側に締結される場合は前側腰部領域１２に配置することができる。いくつかの例では、ランディングゾーン４４は、吸収性物品が前側で締結されるか又は後側で締結されるかに応じて、前側腰部領域１２又は後側腰部領域１６の外側カバー材料４０の一部分に取り付けられる１つ以上の別個の不織布材料であってもよく、又はそれを含んでもよい。本質的に、ランディングゾーン４４は、締結具４６を受けるように構成され、例えば、締結具４６の複数のフックと係合されるように構成された複数のループを含んでもよく、又は逆もまた同様である。ランディングゾーンの不織布及びファスナーフックは、バイオベース含有量を含有するポリマーを含有してもよい。
【００５６】
湿り度インジケータ／図柄
図１を参照すると、本開示の吸収性物品１０は、衣類対向面２から目視可能な、図柄７８及び／又は湿り度インジケータ８０を含んでもよい。図柄７８は、ランディングゾーン４０、バックシート２８、及び／又は他の位置に印刷されてもよい。湿り度インジケータ８０は、典型的には、吸収性コア３０内で身体排泄物と接触することができるように、バックシート２８の吸収性コアに面する側に適用される。いくつかの例では、湿り度インジケータ８０は、図柄７８の一部を形成してもよい。例えば、湿り度インジケータは、現れるか又は消失することができ、特定の図柄内に文字を形成／除去することができる。他の例では、湿り度インジケータ８０は、図柄７８と調和してもよく（例えば、同一デザイン、同一パターン、同一色）、又は調和しなくてもよい。
【００５７】
湿り度インジケータは、典型的に尿に含まれる化学化合物と接触したときのｐＨ変化に基づく変色性組成物を含んでもよい。変色性組成物は、ポリ芳香族炭化水素を含まなくてもよい。
【００５８】
前側耳部及び後側耳部
図１及び図２を参照すると、上記で参照したように、吸収性物品１０は、テープ式おむつとの関連で、前側及び／又は後側耳部４７、４２を有することができる。ほとんどのテープ式おむつでは、１組の耳部のみが必要とされ得る。１組の耳部は、ランディングゾーン又はランディングゾーン区域４４と係合するように構成された締結具４６を含むことができる。２組の耳部が提供される場合、ほとんどの例では、１組の耳部のみが締結具４６を有することができ、他方の組は締結具がない。耳部又はその部分は、弾性であってもよいか、又は弾性パネルを有してもよい。一例では、弾性フィルム又は弾性ストランドは、第１の不織布材料と第２の不織布材料との中間に配置することができる。不織布材料は、非フタル酸触媒ポリプロピレン繊維を含んでもよい。
【００５９】
弾性フィルムは有孔であってもよいか、又は有孔でなくてもよい。耳部は、成形されてもよい。耳部は一体型（例えば、外側カバー材料４０、バックシート２８、及び／又はトップシート２６の延長）であってもよく、あるいは吸収性物品のシャーシ５２の着用者対向面４上、衣類対向面２上、又は２つの表面４、２の中間に取り付けられた別個の構成要素であってもよい。
【００６０】
臭気管理材料
本開示の吸収性物品は、臭気管理材料を採用することができる。これらの材料は、吸収性物品の製造に使用される原材料に固有の臭気を管理し、かつ／又は吸収された物質（例えば、尿、糞便、経血）に伴う臭気を管理することができる。臭気管理材料は、香料の原料又は芳香剤を含まなくてもよいが、それは、これらの従来の材料が一部の個人に刺激性であり得るためである。臭気管理材料は、天然抽出物、天然由来材料、及び／又は鉱物系材料を含むことができる。これらの分類に包含される例示的な臭気管理材料としては、活性炭、ゼオライト、シリカ、及びこれらの組み合わせが挙げられる。
【００６１】
接着剤
接着剤を使用して、物品の最終アセンブリ内で一方の構成要素を他方の構成要素に固着させることができる。接着剤はまた、例えば、吸収性コア構成要素内の粒子状物質などの下位構成要素を固定化するために使用することもできる。接着剤は、場合によっては、添加された蛍光を含まない。
【００６２】
センサ
再び図１を参照すると、本開示の吸収性物品は、吸収性物品１０内の変化を監視するためのセンサシステム８２を含んでもよい。センサシステム８２は、吸収性物品１０と別個であってもよく、あるいは一体であってもよい。吸収性物品１０は、尿及び／又はＢＭなどの身体排泄物の発生に伴う吸収性物品１０の様々な態様を感知することができるセンサを含むことができる（例えば、センサシステム８２は、温度、湿度、アンモニア又は尿素の存在、排泄物（尿及び便）の様々な蒸気成分、吸収性物品の衣服対向層の透湿性の変化、衣服対向層の半透明性の変化、及び／又は衣服対向層の色の変化などの変動を感知することができる）。加えて、センサシステム８２は、アンモニア若しくは尿素などの尿の成分、及び／又はこれらの成分と吸収性物品１０との反応に起因する副生成物を感知することができる。センサシステム８２は、尿が吸収性物品１０の他の成分（例えば、接着剤、ａｇｍ）と混ざり合ったときに生じる副生成物を感知することができる。感知されるこれらの成分又は副生成物は、衣服対向層を通過することができる蒸気として存在し得る。また、尿又はＢＭと混ざり合うと状態（例えば、色、温度）を変化させ、又は測定可能な副生成物を生じる反応物質を吸収性物品に入れることが望ましい場合がある。センサシステム８２は、ｐＨ、圧力、臭気、ガスの存在、血液、化学マーカー若しくは生物学的マーカー、又はこれらの組み合わせの変化も感知し得る。センサシステム８２は、吸収性物品からより遠位にある、例えばｉＰｈｏｎｅなどの受信機に信号を送信する、吸収性物品上の、又はこれに近接した構成要素を有してもよい。受信機は、吸収性物品１０の状態を介護者に通信する結果を出力することができる。他の例では、受信機が提供されなくてもよいが、代わりに吸収性物品１０の状態が吸収性物品上のセンサから視覚的又は聴覚的に明らかとなるようにしてもよい。
【００６３】
パッケージ
本開示の吸収性物品はパッケージ内に入れることができる。パッケージは、ポリマーバッグと、ポリマーバッグの少なくとも一部を包囲する任意選択的なカートンと、を含んでもよい。ポリマーバッグは、バイオベースのポリオレフィンを含むことができる。任意選択的なカートンは、繊維板で作製することができ、リサイクル材料、又はリサイクル材料と未使用材料とのブレンドを含有することができる。各パッケージは、複数の吸収性物品を含んでもよい。
【００６４】
吸収性物品の特性に関する図柄及び／又は目印形態の情報は、パッケージの外側部分に形成されてもよく、印刷されてもよく、位置決めされてもよく、及び／又は配置されてもよい。例えば、情報は、塩素、香料、香気、芳香剤、ローション、非フタル酸触媒ポリプロピレン、蛍光添加接着剤、及び緑色７号染料などの、特定の望ましくない材料が存在しないことに関連したものであってよい。情報はまた、吸収性物品が（綿のシールアイコンを介して）綿、又は植物性材料を有することなどの、収容された吸収性物品の特徴に関連したものであってもよい。
【００６５】
吸収性物品は、パッケージのサイズを小さくする一方で１パッケージ当たり十分な量の吸収性物品を提供するように圧縮下で包装することができる。吸収性物品を圧縮下で包装することによって、介護者がパッケージを容易に扱い、保管することができると共に、パッケージのサイズによる流通コストの削減を製造業者にもたらすことができる。
【００６６】
したがって、本開示の吸収性物品のパッケージは、本明細書に記載のバッグ内積み重ね高さ試験に基づいて、約１１０ｍｍ未満、約１０５ｍｍ未満、約１００ｍｍ未満、約９５ｍｍ未満、約９０ｍｍ未満、約８５ｍｍ未満、約８０ｍｍ未満、約７８ｍｍ未満、約７６ｍｍ未満、約７４ｍｍ未満、約７２ｍｍ未満、又は約７０ｍｍ未満のバッグ内積み重ね高さを有してもよく、具体的には、指定した範囲内、及びその中に又はそれにより形成される全ての範囲内の、０．１ｍｍ刻みの値の全てを列挙する。あるいは、本開示の吸収性物品のパッケージは、本明細書に記載のバッグ内スタック高さ試験基づいて、約７０ｍｍ〜約１１０ｍｍ、約７０ｍｍ〜約１０５ｍｍ、約７０ｍｍ〜約１００ｍｍ、約７０ｍｍ〜約９５ｍｍ、約７０ｍｍ〜約９０ｍｍ、約７０ｍｍ〜約８５ｍｍ、約７２ｍｍ〜約８０ｍｍ、又は約７４ｍｍ〜約７８ｍｍのバッグ内スタック高さを有してもよく、具体的には、指定した範囲内、及びその中に又はそれにより形成される全ての範囲内の、０．１ｍｍ刻みの値の全てを列挙する。
【００６７】
図１６は、複数の吸収性物品１００４を含む例示的なパッケージ１０００を示す。パッケージ１０００は、複数の吸収性物品１００４が置かれる内部空間１００２を画定している。複数の吸収性物品１００４は、１つ以上の積み重ね１００６として配置されている。
【００６８】
アレイ
「アレイ」は、異なる物品構成（例えば、サイドパネル、サイドフラップ、及び／又はベルトフラップにおける［組成的にかつ／若しくは構造的に］異なるエラストマー材料、異なる図柄要素、異なる製品構造、締結具、又はこれらが存在しないこと）の使い捨て吸収性物品を含むパッケージの陳列を意味する。パッケージは、同じブランド及び／若しくは下位ブランド及び／若しくは同じ商標登録を有してもよく、かつ／又は共通の製造業者によって若しくは共通の製造業者のために製造されており、パッケージは、一般的な販売場所で販売することができる（例えば、小売店の所定の領域に互いに近接して並べられる）。アレイは、顧客に、通常、異なる個々のパッケージがより大規模ラインアップの一部分であることを消費者に伝える類似のパッケージ要素（例えば、パッケージの材料の種類、フィルム、紙、主要色、設計主題など）を有する製品ラインアップとして市販される。アレイは、大抵同じブランドを有し、例えば「Ｈｕｇｇｉｅｓ」と、同じ下位ブランドの例えば「Ｐｕｌｌ−Ｕｐｓ」とを有する。アレイ内の異なる製品が、同じブランド「Ｈｕｇｇｉｅｓ」と、下位ブランド「Ｌｉｔｔｌｅ  Ｍｏｖｅｒｓ」とを有する場合もある。アレイの「Ｐｕｌｌ−Ｕｐｓ」製品と、アレイ内の「Ｌｉｔｔｌｅ  Ｍｏｖｅｒｓ」製品との間の差は、製品形態、適用形態、異なる締結デザイン、又は生理学的又は心理学的発達の差に対応することを意図した他の構造要素を含むことができる。更に、「Ｐｕｌｌ−Ｕｐｓ」が主に青色又はピンク色のフィルムバッグに包装され、「Ｌｉｔｔｌｅ  Ｍｏｖｅｒｓ」が主に赤色のフィルムバッグに包装されるという点で、包装が明らかに異なっている。
【００６９】
更に、「アレイ」に関して、別の例として、アレイは同一の製造業者、例えば「Ｋｉｍｂｅｒｌｙ−Ｃｌａｒｋ」によって製造され、共通の商標登録を有する異なる製品形態を有する異なる製品によって形成されてもよく、例えば、１つの製品が、ブランド名「Ｈｕｇｇｉｅｓ」及び下位ブランド「Ｐｕｌｌ−Ｕｐｓ」を有してもよい。アレイ内の異なる製品はブランド／下位ブランド「Ｇｏｏｄ  Ｎｉｔｅｓ」を有してもよく、両方とも、Ｔｈｅ  Ｋｉｍｂｅｒｌｙ−Ｃｌａｒｋ  Ｃｏｒｐｏｒａｔｉｏｎの登録商標であり、及び／又はＫｉｍｂｅｒｌｙ−Ｃｌａｒｋによって製造される。アレイはまた、ブランド、下位ブランド、並びに／あるいはラインアップにわたる特徴及び／又は有益性の商標など、同じ商標を有することが多い。「オンラインアレイ」とは、共通のオンラインソースによって流通される「アレイ」を意味する。
【００７０】
生理用ナプキン
図１２を参照すると、本開示の吸収性物品は生理用ナプキン１１０であってもよい。生理用ナプキン１１０は、液体透過性トップシート１１４と、液体不透過性、又は実質的に液体不透過性のバックシート１１６と、吸収性コア１１８と、を含むことができる。液体不透過性バックシート１１６は、蒸気透過性であってもなくてもよい。吸収性コア１１８は、吸収性コア３０に関して本明細書で説明される形成要素のいずれか又は全部を有してもよく、いくつかの形態では、上記で開示した捕捉材料の代わりに二次トップシート１１９（ＳＴＳ）を有してもよい。ＳＴＳ１１９は、上述したように、１つ以上のチャネルを含んでもよい（エンボス変形例を含む）。ＳＴＳ１１９内のチャネルは、吸収性コア１１８内のチャネルと位置合わせされてもよい。また、生理用ナプキン１１０は、生理用ナプキン１１０の長手方向軸１８０に対して外向きに延在する羽根１２０を有してもよい。生理用ナプキン１１０はまた、横方向軸１９０を有することができる。羽根１２０は、トップシート１１４、バックシート１１６、及び／又は吸収性コア１１８に接合することができる。生理用ナプキン１１０はまた、前縁部１２２と、前縁部１２２と長手方向の反対側に位置する後縁部１２４と、第１の側縁部１２６と、第１の側縁部１２６と長手方向の反対側に位置する第２の側縁部１２８と、を有することができる。長手方向軸１８０は、前縁部１２２の中点から後縁部１２４の中点まで延在し得る。横方向軸１９０は、第１の側縁部１２８の中点から第２の側縁部１２８の中点まで延在し得る。生理用ナプキン１１０はまた、当該技術分野では周知のように、生理用ナプキンに一般的に見出される追加の形成要素を備えてもよい。
【００７１】
吸収性物品の例示的な断面
図１３〜１５は、本開示の範囲内の吸収性物品の例示的な断面図を示す。図１３は、吸収性物品の前側腰部領域１２内で取られた例示的な断面図である。図１４は、吸収性物品の股部領域１４内で取られた例示的な断面図である。図１５は、吸収性物品の後側腰部領域１６内で取られた例示的な断面図である。図１３〜図１５では、外側カバー材料は要素４０であり、液体透過性トップシートは要素２６であり、不透明性パッチは要素８４であり、液体不透過性バックシートは要素２８であり、吸収性コアは要素３０であり、コアバッグは要素７４であり、吸収性材料は要素７２であり、分配材料は要素８６である。分配材料８６は、架橋セルロース材料を含んでもよく、これは任意選択的であってよい。捕捉材料は要素８８である。液体透過性トップシートは要素２６である。バリアレッグカフは要素９０である。バリアレッグカフの弾性体は要素９２である。後側耳部は要素４２である。後側耳部４２上の締結具は要素４６である。明確にするために、様々な層及び／又は構成要素間の構造糊剤及び／又は結合部が取り除かれている。当業者には周知の他の断面構成もまた本開示の範囲内である。
【実施例】
【００７２】
【表１】
2020533155.tif 000003
【００７３】
本開示の吸収性物品は、パラベン、ラテックス、香料、及び／又は芳香剤がないか、又はそれを含まなくてもよい。吸収性物品に使用される接着剤は、蛍光がないか、又はそれを含まなくてもよい。吸収性物品に使用されるインクは、緑色７号染料がないか、又はそれを含まなくてもよい。
【００７４】
本明細書に開示される吸収性物品の第１及び第２の最外層は、２０１５年９月１０日公開のＯｌａｆ  Ｅｒｉｋ  Ｉｓｅｌｅらの米国特許出願公開第２０１５／０２５０６６２号に開示されているものなどの三次元有孔材料であってもよい。こうした三次元有孔材料が、吸収性物品のトップシート及び／又は外側カバー材料を形成してもよい。外側カバーの文脈では、三次元材料は有孔であってもなくてもよい。
【００７５】
本明細書に開示される吸収性物品の第１及び第２の最外層は、２０１６年５月１９日公開のＫｅｌｙｎ  Ａｎｎｅ  Ａｒｏｒａらの米国特許出願公開第２０１６／０１３６０１４号に開示されているものなどの有孔材料であってもよい。こうした有孔材料が、吸収性物品のトップシート及び／又は外側カバー材料を形成してもよい。
【００７６】
本明細書に開示される吸収性物品の第１及び／又は第２の最外層は、植物性繊維を含んでもよく、あるいは含まなくてもよい。本明細書に開示される吸収性物品の第１及び／又は第２の最外層は、綿を含んでもよく、あるいは含まなくてもよい。
【００７７】
綿及び／又は植物性繊維は、コアラップ、捕捉材料、分配材料、耳部、及び／又は吸収性物品の他の不織布構成要素などの吸収性物品の層のいずれかに含まれてもよい。
【００７８】
本明細書に開示される吸収性物品の第１及び第２の最外層は、綿を含んでもよいが、バイオベース含有量を含まなくてもよい。本明細書に開示される吸収性物品の第１の最外層及び第２の最外層のうちの一方は綿を含んでもよく、かつバイオベース含有量を含まなくてもよく、一方で、第１の最外層及び第２の最外層の他方はバイオベース含有量及び綿を含んでもよい。
【００７９】
トップシート実施例：
１．二成分シース／コア繊維；シース：繊維の５０重量％のバイオポリエチレン；コア：繊維の５０重量％のコアの標準的ポリプロピレン；有孔トップシート
２．二成分シース／コア繊維；シース：繊維の５０重量％のバイオポリエチレン；コア：繊維の５０重量％の標準的ポリエチレンテレフタレート；三次元有孔トップシート
３．二成分シース／コア繊維；シース：繊維の５０重量％のバイオポリエチレン；コア：繊維の５０重量％の標準的ポリプロピレン；５重量％の綿；有孔トップシート
４．二成分シース／コア繊維；シース：繊維の５０重量％のバイオポリエチレン；コア：繊維の５０重量％のポリ乳酸（ＰＬＡ）；有孔トップシート
５．二成分シース／コア繊維；シース：繊維の５０重量％のバイオポリエチレン；コア：繊維の５０重量％のポリ乳酸；三次元有孔トップシート
【００８０】
外側カバー不織布材料の実施例：
１．ポリエチレン（１０％）／ポリプロピレン（４０％）／ポリエチレンテレフタレート（３５％）／綿（１５％）（合計坪量２７ｇｓｍ）。
２．８５％重量のバイオポリ乳酸及び１５％重量の綿
【００８１】
組み合わせ
Ａ．
ａ．採取繊維であり、かつ木材パルプ以外である第１の種類の植物性繊維を含む着用者の皮膚又は介護者の皮膚と接触するための第１の最外層であって、採取繊維は任意選択的に採取後処理を有する、第１の最外層と、
ｂ．合成繊維である第２の種類の植物性繊維を含む、着用者の皮膚又は介護者の皮膚と接触するための対向する第２の最外層と、を含み、
ｃ．第１の最外層のバイオベース含有量は、ＡＳＴＭ  Ｄ６８６６−１０の方法Ｂを使用して約５％〜約１００％であり、
ｄ．第２の最外層のバイオベース含有量は、ＡＳＴＭ  Ｄ６８６６−１０の方法Ｂを使用して約５％〜約１００％である、吸収性物品。
Ｂ．第１の最外層のバイオベース含有量は、ＡＳＴＭ  Ｄ６８６６−１０の方法Ｂを使用して約１０％〜約５０％である、パラグラフＡに記載の吸収性物品。
Ｃ．第２の最外層のバイオベース含有量は、ＡＳＴＭ  Ｄ６８６６−１０の方法Ｂを使用して約１０％〜約５０％である、パラグラフＢに記載の吸収性物品。
Ｄ．第２の最外層のバイオベース含有量は、ＡＳＴＭ  Ｄ６８６６−１０の方法Ｂを使用して約１０％〜約５０％である、パラグラフＡに記載の吸収性物品。
Ｅ．第１の最外層のバイオベース含有量は、第２の最外層のバイオベース含有量よりも大きい、パラグラフＡに記載の吸収性物品。
Ｆ．第２の最外層のバイオベース含有量は、第１の最外層のバイオベース含有量よりも大きい、パラグラフＡに記載の吸収性物品。
Ｇ．第１の種類の植物性繊維は採取繊維を含む、パラグラフＡに記載の吸収性物品。
Ｈ．採取繊維は綿繊維を含む、パラグラフＧに記載の吸収性物品。
Ｉ．綿繊維は、漂白されるが、塩素を含まない、パラグラフＨに記載の吸収性物品。
Ｊ．第２の種類の植物性繊維は合成繊維を含む、パラグラフＡに記載の吸収性物品。
Ｋ．合成繊維はバイオベースのポリエチレンを含む、パラグラフＪに記載の吸収性物品。
Ｌ．第１の最外層及び第２の最外層の少なくとも一方は石油系合成繊維を更に含む、パラグラフＡに記載の吸収性物品。
Ｍ．石油系合成繊維は、ポリエチレン繊維、ポリプロピレン繊維、ポリエステル繊維、及びこれらの組み合わせを含む群から選択される、パラグラフＬに記載の吸収性物品。
Ｎ．石油系合成繊維は非フタル酸触媒ポリプロピレン繊維を含む、パラグラフＬに記載の吸収性物品。
Ｏ．吸収性物品は天然由来の臭気管理材料を含む、パラグラフＡに記載の吸収性物品。
Ｐ．吸収性物品は鉱物系臭気管理材料を含む、パラグラフＡに記載の吸収性物品。
Ｑ．鉱物系臭気管理材料は、活性炭、ゼオライト、シリカ、天然抽出物、及びこれらの組み合わせからなる群から選択される、パラグラフＰに記載の吸収性物品。
Ｒ．吸収性物品は、ＡＳＴＭ  Ｄ６８６６−１０の方法Ｂを使用して約５％〜約１００％のバイオベース含有量を有する吸収性ゲル材料を含む、パラグラフＡに記載の吸収性物品。
Ｓ．
ａ．介護者と接触するための外側カバー不織布として定義される第１の最外層であって、外側カバー不織布は第１の種類の植物性繊維を含む、第１の最外層と、
ｂ．着用者の皮膚と接触するためのトップシートとして定義される対向する第２の最外層であって、トップシートは、第１の種類の植物性繊維とは異なる第２の種類の植物性繊維を含む、第２の最外層と、を含み、
ｃ．第２の最外層は、第１の最外層の保水値よりも低い保水値を有し、
ｄ．第１の最外層のバイオベース含有量は、ＡＳＴＭ  Ｄ６８６６−１０の方法Ｂを使用して約５％〜約１００％であり、
ｅ．第２の最外層のバイオベース含有量は、ＡＳＴＭ  Ｄ６８６６−１０の方法Ｂを使用して約５％〜約１００％である、吸収性物品。
Ｔ．第１の最外層のバイオベース含有量は、ＡＳＴＭ  Ｄ６８６６−１０の方法Ｂを使用して約１０％〜約５０％である、パラグラフＳに記載の吸収性物品。
Ｕ．第２の最外層のバイオベース含有量は、ＡＳＴＭ  Ｄ６８６６−１０の方法Ｂを使用して約１０％〜約５０％である、パラグラフＳに記載の吸収性物品。
Ｖ．第２の最外層のバイオベース含有量は、ＡＳＴＭ  Ｄ６８６６−１０の方法Ｂを使用して約１０％〜約５０％である、パラグラフＳに記載の吸収性物品。
Ｗ．吸収性物品は天然由来の臭気管理材料を含む、パラグラフＳに記載の吸収性物品。
Ｘ．吸収性物品は鉱物系臭気管理材料を含む、パラグラフＳに記載の吸収性物品。
Ｙ．鉱物系臭気管理材料は、活性炭、ゼオライト、シリカ、天然抽出物、及びこれらの組み合わせからなる群から選択される、パラグラフＸに記載の吸収性物品。
Ｚ．吸収性物品は、ＡＳＴＭ  Ｄ６８６６−１０の方法Ｂを使用して約５％〜約１００％のバイオベース含有量を有する吸収性ゲル材料を含む、パラグラフＳに記載の吸収性物品。
ＡＡ．
ａ．着用者の皮膚又は介護者の皮膚と接触するための第１の最外層であって、木材パルプ以外の採取繊維を含む植物性繊維を含む第１の不織布を含む、第１の最外層と、
ｂ．着用者の皮膚又は介護者の皮膚と接触するための対向する第２の最外層であって、合成繊維を含む植物性繊維を含む第２の不織布を含む、第２の最外層と、を含み、
ｃ．第１の不織布は、坪量、密度、組成、及び構造のうちの少なくとも１つにおいて第２の不織布とは異なる、
吸収性物品。
ＢＢ．第１の不織布は、不織布よりも大きな坪量を有する、パラグラフＡＡに記載の吸収性物品。
ＣＣ．第１の不織布は、坪量及び組成の両方において第２の不織布とは異なる、パラグラフＡＡに記載の吸収性物品。
ＤＤ．第１の不織布は、坪量、組成、及び構造において第２の不織布とは異なる、パラグラフＡＡに記載の吸収性物品。
ＥＥ．第１の不織布は、繊維間結合又は交絡によって第２の不織布とは異なる構造を有する、パラグラフＡＡに記載の吸収性物品。
ＦＦ．第１の不織布は水流交絡され、第２の不織布は繊維間熱結合を含む、パラグラフＥＥに記載の吸収性物品。
ＧＧ．第１の不織布のバイオベース含有量は、ＡＳＴＭ  Ｄ６８６６−１０の方法Ｂを使用して約５％〜約５０％である、パラグラフＡＡに記載の吸収性物品。
ＨＨ．第２の不織布のバイオベース含有量は、ＡＳＴＭ  Ｄ６８６６−１０の方法Ｂを使用して約５％〜約５０％である、パラグラフＡＡに記載の吸収性物品。
ＩＩ．植物性合成繊維はバイオベースのポリオレフィン繊維を含む、パラグラフＡＡに記載の吸収性物品。
ＪＪ．植物性の採取繊維は綿繊維を含む、パラグラフＡＡに記載の吸収性物品。
ＫＫ．綿繊維は、漂白されるが、塩素を含まない、パラグラフＪＪに記載の吸収性物品。
ＬＬ．第１の最外層と第２の最外層との間に配置された中間層を更に含み、中間層は、漂白されるが、塩素を含まないセルロース材料を含む、パラグラフＡＡ〜ＪＪのいずれか１つに記載の吸収性物品。
ＭＭ．第１の最外層と第２の最外層との間に配置された吸収性コアを更に含み、吸収性コアは、吸収性コアの８０重量％の粒子状吸収性ゲル材料を含む、パラグラフＡＡ〜ＪＪのいずれか１つに記載の吸収性物品。
ＮＮ．吸収性物品は香料又は芳香剤を含まない、パラグラフＡＡ〜ＭＭのいずれか１つに記載の吸収性物品。
ＯＯ．吸収性物品はローションを含まない、パラグラフＡＡ〜ＮＮのいずれか１つに記載の吸収性物品。
ＰＰ．第１の不織布及び第２の不織布のうちの少なくとも一方が、非フタル酸触媒ポリプロピレン繊維を含む、パラグラフＡＡ〜ＯＯのいずれか１つに記載の吸収性物品。
ＱＱ．第１の不織布及び第２の不織布のそれぞれが石油系繊維を更に含む、パラグラフＡＡ〜ＰＰのいずれか１つに記載の吸収性物品。
ＲＲ．鉱物系臭気管理材料を更に含む、パラグラフＡＡ〜ＱＱのいずれか１つに記載の吸収性物品。
ＳＳ．臭気管理材料は、活性炭、ゼオライト、シリカ、天然抽出物、及びこれらの組み合わせからなる群から選択される材料を含む、パラグラフＲＲに記載の吸収性物品。
ＴＴ．蛍光を含まない接着剤を更に含む、パラグラフＡＡ〜ＳＳのいずれか１つに記載の吸収性物品。
ＵＵ．緑色７号染料を含まないインクを更に含む、パラグラフＡＡ〜ＴＴのいずれか１つに記載の吸収性物品。
ＶＶ．吸収性物品は、ＡＳＴＭ  Ｄ６８６６−１０の方法Ｂを使用して約５％〜約１００％のバイオベース含有量を有する吸収性ゲル材料を含む、パラグラフＡＡに記載の吸収性物品。
ＷＷ．
ａ．不織布を含むトップシートと、ポリマーフィルムを含むバックシートと、バックシートのポリマーフィルム上に配置された不織布を含む外側カバーと、吸収性コアと、トップシートと吸収性コアとの間に配置された捕捉／分配層と、を含む複数の層と、
ｂ．セルロース材料を含む複数の層のうちの少なくとも１つであって、セルロース材料は、漂白されるが、塩素を含まない、複数の層のうちの少なくとも１つと、
ｃ．綿繊維を含む、複数の層のうちの少なくとも１つと、
ｄ．バイオベースの合成繊維を含む、複数の層のうちの少なくとも１つと、
を含む吸収性物品。
ＸＸ．バイオベースの合成繊維は、ポリエステル繊維、ポリエチレン繊維、ポリプロピレン繊維、ポリオレフィン繊維、及びこれらの組み合わせを含む群から選択される、パラグラフＷＷに記載の吸収性物品。
ＹＹ．漂白されるが、塩素を含まないセルロース繊維が、捕捉／分配層内に配置されている、パラグラフＷＷに記載の吸収性物品。
ＺＺ．漂白されるが、塩素を含まないセルロース繊維が、吸収性コア内にない、パラグラフＷＷに記載の吸収性物品。
ＡＡＡ．綿繊維は、漂白されるが、塩素を含まない、パラグラフＷＷに記載の吸収性物品。
ＢＢＢ．臭気管理材料を更に含む、パラグラフＷＷに記載の吸収性物品。
ＣＣＣ．臭気管理材料は、活性炭、ゼオライト、シリカ、天然抽出物、及びこれらの組み合わせからなる群から選択される材料を含む、パラグラフＢＢＢに記載の吸収性物品。
ＤＤＤ．吸収性物品は、ＡＳＴＭ  Ｄ６８６６−１０の方法Ｂを使用して約５％〜約１００％のバイオベース含有量を有する吸収性ゲル材料を含む、パラグラフＷＷに記載の吸収性物品。
ＥＥＥ．
ａ．不織布を含むトップシートと、ポリマーフィルムを含むバックシートと、バックシートのポリマーフィルム上に配置された不織布を含む外側カバーと、吸収性コアと、トップシートと吸収性コアとの間に配置された捕捉／分配層と、を含む複数の層と、
ｂ．トップシート、外側カバー、及びセルロース材料を含む捕捉／分配層のうちの少なくとも１つであって、セルロース材料は、漂白されるが、塩素を含まない、トップシート、外側カバー、及びセルロース材料を含む捕捉／分配層のうちの少なくとも１つと、
ｃ．綿繊維を含む、複数の層のうちの少なくとも１つと、
を含む吸収性物品。
ＦＦＦ．
ａ．不織布を含むトップシートと、ポリマーフィルムを含むバックシートと、バックシートのポリマーフィルム上に配置された不織布を含む外側カバーと、吸収性コアと、トップシートと吸収性コアとの間に配置された捕捉／分配層と、を含む複数の層と、
ｂ．トップシート、外側カバー、及びセルロース材料を含む捕捉／分配層のうちの少なくとも１つであって、セルロース材料は、漂白されるが、塩素を含まない、トップシート、外側カバー、及びセルロース材料を含む、捕捉／分配層のうちの少なくとも１つと、
ｃ．バイオベースの合成繊維を含む、複数の層のうちの少なくとも１つと、
を含む吸収性物品。
ＧＧＧ．
ａ．植物性合成繊維を含むトップシートと、
ｂ．木材パルプ以外の植物性の採取繊維を含むバックシート外側カバー材料と、
ｃ．トップシートとバックシートとの間に配置された、漂白されたセルロース材料を含む繊維層と、
を含み、
ｄ．
ｉ．塩素、
ｉｉ．香料又は芳香剤、
ｉｉｉ．ローション、
ｉｖ．非フタル酸触媒ポリプロピレン繊維、
ｖ．蛍光添加接着剤、及び
ｖｉ．緑色７号染料
の望ましくない特徴のうちの少なくとも１つを含まない、
吸収性物品。
ＨＨＨ．望ましくない特徴のうちの少なくとも２つを含まない、パラグラフＧＧＧに記載の吸収性物品。
ＩＩＩ．望ましくない特徴のうちの少なくとも３つを含まない、パラグラフＧＧＧに記載の吸収性物品。
ＪＪＪ．望ましくない特徴のうちの少なくとも４つを含まない、パラグラフＧＧＧに記載の吸収性物品。
ＫＫＫ．望ましくない特徴のうちの少なくとも５つを含まない、パラグラフＧＧＧに記載の吸収性物品。
ＬＬＬ．望ましくない特徴の全てを含まない、パラグラフＧＧＧに記載の吸収性物品。
ＭＭＭ．ＡＳＴＭ  Ｄ６８６６−１０の方法Ｂを使用して約５％〜約１００％のバイオベース含有量を有する吸収性ゲル材料を含む、パラグラフＧＧＧに記載の吸収性物品。
ＮＮＮ．
ａ．吸収性ゲル材料及び任意に木材パルプを含む吸収性材料を含む吸収性コアと、
ｂ．吸収性コアの一方の側面上に位置するトップシートと、吸収性コアの対向する側面上に位置するバックシートと、トップシートと吸収性コアとの間に配置された任意選択的な捕捉／分配層と、を含む複数の追加層と、
を含み、
ｃ．複数の追加層のうちの少なくとも１つは、ＡＳＴＭ  Ｄ６８６６−１０の方法Ｂを使用して約５％〜約１００％のバイオベース含有量を含み、
ｄ．吸収性物品は、吸収性材料とは異なる天然由来の臭気管理材料を含む、
吸収性物品。
ＯＯＯ．天然由来の臭気管理材料は実質的に香気を含まない、パラグラフＮＮＮに記載の吸収性物品。
ＰＰＰ．
ａ．吸収性ゲル材料及び任意選択的に木材パルプを含む吸収性材料を含む吸収性コアと、
ｂ．吸収性コアの一方の側面上に位置するトップシートと、吸収性コアの対向する側面上に位置するバックシートと、トップシートと吸収性コアとの間に配置された任意選択的な捕捉／分配層と、を含む複数の追加層と、を含み、
ｃ．複数の追加層のうちの少なくとも１つは、ＡＳＴＭ  Ｄ６８６６−１０の方法Ｂを使用して約５％〜約１００％のバイオベース含有量を含み、
ｄ．吸収性物品は、吸収性材料とは異なる鉱物系の臭気管理材料を含む、
吸収性物品。
ＱＱＱ．
ａ．ポリマーバッグと、ポリマーバッグの少なくとも一部を包囲する任意選択的なカートンと、を含むパッケージと、
ｂ．ポリマーバッグ内に配置された複数の吸収性物品と、
を含み、
ｃ．吸収性物品のそれぞれは、綿繊維、漂白セルロース材料、植物性合成繊維、及び臭気管理材料を含み、
ｄ．ポリマーバッグ及び任意選択的なカートンのうちの少なくとも１つは、吸収性物品が綿繊維を含み、塩素を含まず、芳香剤又は香料を含まないという情報を含む、
吸収性物品のパッケージ。
ＲＲＲ．ポリマーバッグは、バイオベースのポリオレフィンを含むポリマーフィルムを含む、パラグラフＱＱＱに記載のパッケージ。
ＳＳＳ．情報は、綿の商標ロゴのシールを含む、パラグラフＱＱＱに記載のパッケージ。
ＴＴＴ．
ａ．ポリマーバッグと、ポリマーバッグの少なくとも一部を包囲する任意選択的なカートンと、を含むパッケージと、
ｂ．ポリマーバッグ内に配置された複数の吸収性物品であって、吸収性物品のそれぞれは、
ｉ．吸収性ゲル材料及び任意選択的に木材パルプを含む吸収性材料を含む吸収性コアと、
ｉｉ．吸収性コアの一方の側面上に位置するトップシートと、吸収性コアの対向する側面上に位置するバックシートと、トップシートと吸収性コアとの間に配置された任意選択的な捕捉／分配層と、を含む複数の追加層と、
を含み、
ｉｉｉ．複数の追加層のうちの少なくとも１つは、ＡＳＴＭ  Ｄ６８６６−１０の方法Ｂを使用して約５％〜約１００％のバイオベース含有量を含み、
ｉｖ．吸収性物品は、吸収性材料とは異なる鉱物系の臭気管理材料を含む、
吸収性物品と、
を含み、
ｃ．吸収性物品のそれぞれは、綿繊維、漂白セルロース材料、植物性合成繊維、及び臭気管理材料を含み、
ｄ．ポリマーバッグ及び任意選択的なカートンのうちの少なくとも１つは、吸収性物品が、香気、芳香剤、香料、及び塩素のうちの少なくとも１つを含まないという情報を含む、
吸収性物品のパッケージ。
【００８２】
試験方法：坪量、密度、及び保水
測定は、２３℃±２℃及び相対湿度５０％±２％で実施される。全てのサンプルは、試験前に２時間この環境で調整する。吸収性物品から対象となる基材／構成要素／材料を採取する。サンプルの長手方向及び横方向中心線から、およそ１０ｃｍ２の試料を０．０１ｃｍ２単位で正確に切断する。試料の質量を測定し、乾燥質量として０．０００１ｇ単位で記録する。坪量は、測定された質量（ｇ）及び面積（ｍ２）から計算し、０．１ｇ／ｍ２（ｇｓｍ）単位で記録する。
【００８３】
キャリパーは、厚さを±０．００１ｍｍで測定することができるＯｎｏ  Ｓｏｋｋｉ線形ゲージセンサーＧＳ−５０３などのデジタルキャリパーを使用して測定される。０．６９ｋＰａ±０．０１ｋＰａの圧力を適用する直径２５．０ｍｍ±０．１ｍｍの円形フットが使用される。キャリパーアンビルはフットよりも大きい。計器は製造者の仕様に従って較正される。フットがアンビルに載っている状態で、デジタルキャリパーをゼロに設定する。キャリパーフットを持ち上げ、試料をフット下で中心に置く。フットを約２ｍｍ／秒の速度で静かに試料の表面上に下ろす。読み取って０．０１ｍｍ単位で記録する。
【００８４】
測定された面積（ｃｍ２）及びキャリパー（ｃｍ）を使用して試料の体積を計算し、０．０１ｃｍ３単位で記録する。測定された質量（ｇ）を測定された体積（ｃｍ３）で除算することによって密度を計算する。０．０１ｇ／ｃｍ３単位で記録する。
【００８５】
試料を取り出し、蒸留水中に５．０±０．１分間浸漬する。試料を水から取り出し、試料をその角部から１０±０．１分間垂直に慎重に吊るして排水させる。試料の質量を測定し、湿潤質量として０．０００１ｇ単位で記録する。湿潤質量と乾燥質量との差を乾燥質量（ｇ）で除したものとして保水率を計算する。０．０１ｇ／ｇ単位で記録する。
【００８６】
同様に、合計１０個の複製試料に対して測定を繰り返し、坪量（ｇ／ｍ２）、密度（ｇ／ｃｍ３）、及び保水率（ｇ／ｇ）の算術平均として結果を報告する。
【００８７】
試験方法：物品のパッケージのバッグ内積み重ね高さを以下のように測定する：
機器
平坦な剛性の水平スライディングプレートを備えた厚さ試験機を使用する。厚さ試験機は、水平スライディングプレートが平坦な剛性の水平ベースプレートのすぐ上で水平の向きに常に維持された状態で、水平スライディングプレートが垂直方向に自由に移動するように構成されている。厚さ試験機は、水平スライディングプレートと水平ベースプレートとの間の間隙を±０．５ｍｍ以内で測定するのに好適なデバイスを含む。水平スライディングプレート及び水平ベースプレートは、各プレートと接触する吸収性物品パッケージの表面よりも大きい（すなわち、各プレートは全ての方向において吸収性物品パッケージの接触表面を越えて延在する）。水平スライディングプレートは、吸収性物品パッケージに下方への力８５０±１重量グラム（８．３４Ｎ）を加えるが、これは、スライディングプレートの合計質量に付加重量を足して８５０±１グラムとなるように、水平スライディングプレートのパッケージに接触しない上面の中央に好適な重しを置くことによって達成し得る。
【００８８】
吸収性物品パッケージを、測定前に、２３±２℃及び５０±５％の相対湿度で平衡化する。
【００８９】
水平スライディングプレートを上げ、パッケージ内の吸収性物品が水平の向きとなるようにして吸収性物品パッケージを水平スライディングプレート下で中心に置く（図１６参照）。プレートのいずれかに接触するであろうパッケージの表面上にある任意のハンドル又は他のパッケージング機構を、パッケージの表面に対して平坦に折り重ねることで、測定に対する影響を最小限にする。水平スライディングプレートを、パッケージの上面に接触するまでゆっくり下げてから、解放する。水平スライディングプレートを解放してから１０秒後に、水平プレート間の間隙を±０．５ｍｍ以内で測定する。５つの同じパッケージ（同じサイズのパッケージ及び同じ吸収性物品数）を測定し、算術平均をパッケージ幅として報告する。「バッグ内積み重ね高さ」＝（パッケージ幅／積み重ね当たりの吸収性物品数）×１０を計算し、±０．５ｍｍ以内で報告する。
【００９０】
本明細書にて開示された寸法及び値は、列挙された正確な数値に厳密に限定されるものとして理解されるべきではない。その代わりに、特に指示がない限り、このような寸法はそれぞれ、列挙された値とその値を囲む機能的に同等な範囲との両方を意味することが意図されている。例えば、「４０ｍｍ」と開示された寸法は、「約４０ｍｍ」を意味することが意図される。
【００９１】
相互参照される又は関連する全ての特許又は特許出願、及び本願が優先権又はその利益を主張する任意の特許出願又は特許を含む、本願に引用される全ての文書は、除外又は限定することを明言しない限りにおいて、参照によりその全体が本明細書に組み込まれる。いかなる文献の引用も、本明細書中で開示又は特許請求される任意の発明に対する先行技術であるとは見なされず、あるいはそれを単独で又は他の任意の参考文献（単数又は複数）と組み合わせたときに、そのような発明全てを教示、示唆又は開示するとは見なされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【００９２】
本開示の特定の実施形態について説明し記載したが、本開示の趣旨及び範囲から逸脱することなく他の様々な変更及び修正が可能であることは当業者には明白であろう。したがって、本発明の範囲内にあるそのような全ての変更及び修正を添付の特許請求の範囲に網羅することが意図されている。
【図１】
2020533155.tif 000004
【図２】
2020533155.tif 000005
【図３】
2020533155.tif 000006
【図４】
2020533155.tif 000007
【図５】
2020533155.tif 000008
【図６】
2020533155.tif 000009
【図７】
2020533155.tif 000010
【図８】
2020533155.tif 000011
【図９】
2020533155.tif 000012
【図１０】
2020533155.tif 000013
【図１１】
2020533155.tif 000014
【図１２】
2020533155.tif 000015
【図１３】
2020533155.tif 000016
【図１４】
2020533155.tif 000017
【図１５】
2020533155.tif 000018
【図１６】
2020533155.tif 000019
【国際調査報告】
2020533155.tif 000020
2020533155.tif 000021
2020533155.tif 000022